(57)【要約】      （修正有）【課題】全身の皮膚の所望の部位で複数のローラを転動させることにより、全身の皮膚の所望の部位のマッサージ作用やリンパの流れを促進するリンパマッサージ作用およびマイナスイオンによる健康増進作用を期待することのできる全身用ローラマッサージ器具を提供する。【解決手段】全身の皮膚で転動する３個のローラ１，２，３と、これらローラ１，２，３が回転自在に取り付けられたグリップ４とを備え、該グリップ４は、ビーム状の把持部５と、この把持部５の長手方向の両端部に取付けられて下向きにのびる一対の脚部６，７とを備えた門型に形成されており、脚部６，７間に軸方向両端部が支持されたローラ軸８に３個のローラ１，２，３を回転自在に取付ける。各ローラ１，２，３は、ホルミシスイオンを放射する希土類元素を練り込んで成形された柔軟性を有するシリコン樹脂からなる。【選択図】図１
0003164701.tif 000002
【実用新案登録請求の範囲】
【請求項１】
全身の皮膚で転動する複数のローラと、これらローラが回転自在に取り付けられたグリップと、を備えた全身用ローラマッサージ器具であって、
前記グリップは、ビーム状の把持部と、この把持部の長手方向の両端部に取付けられて下向きにのびる一対の脚部とを備えた門型に形成され、前記一対の脚部間に軸方向両端部が支持されたローラ軸に前記複数のローラが装備されていることを特徴とする全身用ローラマッサージ器具。
【請求項２】
請求項１に記載した全身用ローラマッサージ器具において
前記各ローラが、ホルミシスイオンを放射する希土類元素を練り込んで成形された柔軟性を有するシリコン樹脂でなる全身用ローラマッサージ器具。
【請求項３】
請求項１または請求項２に記載した全身用ローラマッサージ器具において
１本のローラ軸に複数のローラが軸方向に直列してベアリングを介して回転自在に取付けられている全身用ローラマッサージ器具。
【請求項４】
請求項１に記載した全身用ローラマッサージ器具において
前記ビーム状の把持部における下端部には、該下端部からビーム状の把持部の長手方向に直交する両側に向けて上向きに少しのび、かつ前記ビーム状の把持部を下側から掴持する親指以外の指が関節を折り曲げて嵌め込み位置決めされる４個の第１窪み部を該把持部の長手方向に直列して備えているとともに、前記把持部の長手方向一側の上端部には、親指の先端腹部が嵌め込み位置決めされる第２窪み部を備えてなる全身用ローラマッサージ器具。
【請求項５】
請求項１または請求項３に記載した全身用ローラマッサージ器具において
前記１本のローラ軸の軸方向両端部が、前記一対の脚部それぞれの下端部に設けた盲貫孔に嵌合して支持されている全身用ローラマッサージ器具。
【考案の詳細な説明】
【技術分野】
【０００１】
本考案は、全身用ローラマッサージ器具に係り、より詳しくは、全身の皮膚の所望の部位でローラを転動させることによるマッサージ作用やリンパの流れを促進するリンパマッサージ作用およびマイナスイオンによる健康増進作用を期待することのできる全身用ローラマッサージ器具に関する。
【背景技術】
【０００２】
使用者自身がローラを皮膚の上で転動させて皮膚をマッサージするタイプのローラ型マッサージ器具は従来より周知である。この種のローラ型マッサージ器具の分野では、まっすぐなロッド状の杆体の一端に１個のローラを回転自在に取り付けたものが従来より知られている。
【０００３】
また、先行例として、ローラに設けた電極に電圧を印加することによって身体に微弱電流を流したりするもの（たとえば、特許文献１参照）、ローラの外周複数箇所に叩打板を取り付けておいて、皮膚の上でローラを転動させるとそれらの叩打板が皮膚を叩いて刺激を増幅させるもの（たとえば、特許文献２参照）、ローラに収納させた蓄熱体の熱をそのローラの表面に設けた突起に伝えることによって皮膚に熱的刺激を与えるもの（たとえば、特許文献３参照）などが知られている。
【先行技術文献】
【特許文献】
【０００４】
【特許文献１】特開２００９−２４７６８４号公報
【特許文献２】特開２００８−２７８９１９号公報
【特許文献３】特開２０１０−３５７４３号公報
【考案の概要】
【考案が解決しようとする課題】
【０００５】
しかし、まっすぐなロッド状の杆体の一端に１個のローラを回転自在に取り付けただけの従来のローラ型マッサージ器具は、一般的に、１個のローラを全身の皮膚の所望の部位で転動させるという使用方法が採られるに過ぎないので、ローラを転動させることによってマッサージされる範囲が狭く、使用者にとって充実感のあるマッサージを行うことに関して難点があった。
【０００６】
また、上掲の各特許文献１〜３によって提案されているものは、皮膚を電気的に刺激したり、皮膚を叩打して刺激したり、皮膚を局部的に熱して刺激したりするものであり、使用者によっては、使用に違和感を感じて良好な使用感を得られないことがある。
【０００７】
そこで、本考案は、全身の皮膚の所望の部位で複数のローラを転動させることにより、全身の皮膚の所望の部位のマッサージ作用やリンパの流れを促進するリンパマッサージ作用およびマイナスイオンによる健康増進作用を期待することのできる全身用ローラマッサージ器具を提供することを目的とする。
【課題を解決するための手段】
【０００８】
本考案に係る全身用ローラマッサージ器具は、全身の皮膚で転動する複数のローラと、これらローラが回転自在に取り付けられたグリップと、を備えている。そして、前記グリップは、ビーム状の把持部と、この把持部の長手方向の両端部に取付けられて下向きにのびる一対の脚部とを備えた門型に形成され、前記一対の脚部間に軸方向両端部が支持されたローラ軸に前記複数のローラが装備されている。
【０００９】
これによれば、グリップのビーム状の把持部を把手として利用することが可能である。また、複数のローラを全身の皮膚の所望の部位で同時に転動させてマッサージすることができるので、優れた全身マッサージ作用やリンパの流れを促進する優れたリンパマッサージ作用を得ることができる。
【００１０】
本考案は、前記各ローラが、ホルミシスイオンを放射する希土類元素を練り込んで成形された柔軟性を有するシリコン樹脂でなることが望ましい。ホルミシスイオンを発生する希土類元素は、人の身体に悪影響を及ぼさない程度の低レベルの放射線物質である。また、ホルミシスイオンは、特定の温泉地の温泉にも含まれていると云われていて、特定の入浴剤にも含有されている。そして、このホルミシスイオンは、人体の細胞に作用することにより、内臓脂肪症候群（メタボリックシンドローム）、癌、腎臓病、肝臓病、心臓病、膵臓病、心筋梗塞、脳梗塞、皮膚炎、リュウマチ、糖尿病、睡眠障害、低体温症、パーキンソン病といった多種多様な人の疾患の症状を改善することに役立つとされている。また、このホルミシスイオンの放射作用は永久に持続するとされている。したがって、本考案のように、各ローラが、ホルミシスイオンを放射する希土類元素を練り込んで成形された柔軟性を有するシリコン樹脂でなる、という構成を採用することにより、ローラが皮膚で転動することによるマッサージ作用とともに、ホルミシスイオンの永久的な放射作用による健康増進作用が図られる。
【００１１】
本考案は、１本のローラ軸に複数のローラが軸方向に直列して回転自在に取付けられていることが望ましい。これによると、複数のローラで全身の皮膚の所望の部位を心地よくマッサージすることが可能である。また、１本のローラ軸に複数のローラが軸方向に直列してベアリングを介して回転自在に取付けられていることにより、ローラの回転をスムーズに行うことが出来ると共に、ローラ部の構造を簡素化できる。
【００１２】
本考案のビーム状の把持部における下端部には、該下端部からビーム状の把持部の長手方向に直交する両側に向けて上向きに少しのび、かつ前記ビーム状の把持部を下側から掴持する親指以外の指が関節を折り曲げて嵌め込み位置決めされる４個の第１窪み部を該把持部の長手方向に直列して備えているとともに、前記把持部の長手方向一側の上端部には、親指の先端腹部が嵌め込み位置決めされる第２窪み部を備えてなることが望ましい。これによると、使用者が右利きまたは左利きのいずれであっても、利き手側の親指以外の指の関節を折り曲げて、これらの指を各別に下側から４個の第１窪み部に嵌め込んで位置決めするとともに、利き手側の親指の先端腹部を上側から第２窪み部に嵌め込んで位置決めすることにより、各指のスリップ防止作用が生じるので、使用者の利き手の如何を問わず、利き手側の全指を使って全身用ローラマッサージ器具の把持を安定的に行って、複数のローラによる全身マッサージ作用やリンパの流れを促進するリンパマッサージ作用を高めることができる。
【００１３】
本考案は、前記１本のローラ軸の軸方向両端部が、前記一対の脚部それぞれの下端部に設けた盲貫孔に嵌合して支持されていることが望ましい。これによると、ローラ軸の軸方向両端部が盲貫孔によって隠蔽されて、該軸方向両端部が目視不能になるので全身用ローラマッサージ器具の外観がよくなる。また、ローラ軸の軸方向両端部による皮膚の擦過を回避することができる。
【考案の効果】
【００１４】
本考案に係る全身用ローラマッサージ器具によれば、複数のローラを全身の皮膚の所望の部位で同時に転動させてマッサージすることができるので、優れた全身マッサージ作用やリンパの流れを促進する優れたリンパマッサージ作用を得ることができる。しかも、ローラが、ホルミシスイオンを放射する希土類元素を練り込んで成形された柔軟性を有するシリコン樹脂でなるという構成を採用することにより、前記のマッサージ作用とともに、ホルミシスイオンの永久的な放射作用による健康増進作用が図られる。
【図面の簡単な説明】
【００１５】
【図１】本考案に係る全身用ローラマッサージ器具の一実施形態を示す概略斜視図である。
【図２】本考案に係る全身用ローラマッサージ器具の一実施形態の一部を断面にして示す正面図である。
【図３】図２のIII−III線に沿う断面図である。
【考案を実施するための形態】
【００１６】
図１は本考案に係る全身用ローラマッサージ器具の一実施形態を示す概略斜視図、図２は本考案に係る全身用ローラマッサージ器具の一実施形態の一部を断面にして示す正面図、図３は図２のIII−III線に沿う断面図である。
【００１７】
図１〜図３において、全身用ローラマッサージ器具Ａは、全身の皮膚の所望の部位をマッサージするためのもので、全身の皮膚で転動可能な３個のローラ１，２，３と、これらローラ１，２，３が回転自在に取り付けられたグリップ４とを備え、グリップ４は、左右方向にのびるビーム状の把持部５と、この把持部５の長手方向の両端部に取付けられて下向きにのびる左右一対の脚部６，７とを備えた門型に形成されている。そして、左右一対の脚部６，７間に軸方向両端部８ａ、８ａが支持された１本のローラ軸８に、前記３個のローラ１，２，３が直列してベアリングＢを介して回転自在に取り付けられており、各ローラ２，３は、ホルミシスイオンを放射する希土類元素を練り込んで成形された柔軟性を有するシリコン樹脂で形成されている。
【００１８】
ビーム状の把持部５における下端部には、４個の第１窪み部９．１０，１１，１２が該把持部５の長手方向に直列し、かつ所定の間隔を隔てて備わっているとともに、把持部５の長手方向一側の上端部には、一つの第２窪み部１３を備えている。
【００１９】
４個の第１窪み部９．１０，１１，１２は、全身用ローラマッサージ器具Ａの使用に際して、ビーム状の把持部５を下側から掴持するために、親指以外の指が関節を折り曲げて嵌め込み位置決めされる。具体的には、第１窪み部９に人差し指が関節を折り曲げて嵌め込み位置決めされ、第１窪み部１０に中指が関節を折り曲げて嵌め込み位置決めされ、第１窪み部１１に薬指が関節を折り曲げて嵌め込み位置決めされるとともに、第１窪み部１２に子指が関節を折り曲げて嵌め込み位置決めされる。これら４個の第１窪み部９．１０，１１，１２は、ビーム状の把持部５の下端部から、ビーム状の把持部５の長手方向に直交する両側に向けて上向きに少しのびて形成される。本実施形態では、ビーム状の把持部５が厚い板材によって構成されているので、４個の第１窪み部９．１０，１１，１２は、ビーム状の把持部５の下端部から、ビーム状の把持部５の肉厚方向の両側に向けて上向きに少しのびて形成されることになる。
【００２０】
一方、一つの第２窪み部１３は、全身用ローラマッサージ器具Ａの使用に際して、親指の先端腹部でビーム状の把持部５を軽く押圧するために、親指の先端腹部を嵌め込んで位置決めでされる。したがって、一つの第２窪み部１３は、ビーム状の把持部５の長手方向一側の上端部において長手方向他側に向かって円弧状に凹入した形状で構成される。
【００２１】
また、ローラ軸８の軸方向両端部８ａ，８ａは、一対の脚部６，７それぞれの下端部に設けた盲貫孔１４に嵌合して、該軸方向両端部８ａ，８ａを隠蔽した状態で支持されている。
【００２２】
前記構成の全身用ローラマッサージ器具Ａによれば、グリップ４のビーム状の把持部５を把手として利用することが可能である。また、３個のローラ１，２，３を全身の皮膚の所望の部位で同時に転動させてマッサージすることができるので、優れた全身マッサージ作用やリンパの流れを促進する優れたリンパマッサージ作用を得ることができる。
【００２３】
各ローラ１，２，３が、ホルミシスイオンを放射する希土類元素を練り込んで成形された柔軟性を有するシリコン樹脂でなることにより、人体の細胞に作用して内臓脂肪症候群、癌、腎臓病、肝臓病、心臓病などの様々な疾患の症状を改善することに役立ち、しかも希土類元素による放射作用は永久に持続するとされている。したがって、各ローラ１，２，３が全身の皮膚の所望の部位で転動することによるマッサージ作用とともに、ホルミシスイオンの永久的な放射による健康増進作用を図れる優れた効果を期待することができる。
【００２４】
１本のローラ軸８に３個のローラ１，２，３が軸方向に直列してベアリングＢを介して回転自在に取付けられているので、３個のローラ１，２，３をスムーズに回転することができ、全身の皮膚の所望の部位を心地よくマッサージすることが可能である。
【００２５】
ビーム状の把持部５における下端部には、４個の第１窪み部９．１０，１１，１２が備わっているとともに、把持部５の長手方向一側の上端部には、一つの第２窪み部１３が備わっており、各第１窪み部９．１０，１１，１２は、ビーム状の把持部５の下端部から、ビーム状の把持部５の肉厚方向の両側に向けて上向きに少しのびて形成され、第２窪み部１３は、ビーム状の把持部５の長手方向一側の上端部において長手方向他側に向かって円弧状に凹入した形状で構成されていることにより、使用者が右利きまたは左利きのいずれであっても、利き手側の親指以外の指の関節を折り曲げて、これらの指を各別に下側から４個の第１窪み部９．１０，１１，１２に嵌め込んで位置決めするとともに、利き手側の親指の先端腹部を上側から第２窪み部１３に嵌め込んで位置決めすることにより、各指のスリップ防止作用が生じるので、使用者の利き手の如何を問わず、利き手側の全指を使って全身用ローラマッサージ器具の把持を安定的に行って、３個のローラ１，２，３による全身マッサージ作用やリンパの流れを促進するリンパマッサージ作用を高めることができる。
【００２６】
ローラ軸８の軸方向両端部８ａ，８ａが、一対の脚部６，７それぞれの下端部に設けた盲貫孔１４に嵌合して支持されていることにより、ローラ軸８の軸方向両端部８ａ，８ａが盲貫孔１４によって隠蔽されて、該軸方向両端部８ａ，８ａが目視不能になるので全身用ローラマッサージ器具Ａの外観がよくなる。また、ローラ軸８の軸方向両端部８ａ，８ａによる皮膚の擦過を回避することができる。
【００２７】
なお、前記実施形態では３個のローラ１，２，３を使用した構成で説明しているが、ローラの数は３個のみに限定されるものではなく、２個または４個以上であってもよい。
【符号の説明】
【００２８】
Ａ  ローラ型マッサージ器具
１  ローラ
２  ローラ
３  ローラ
４  グリップ
５  ビーム状の把持部
６  脚部
７  脚部
８  ローラ軸
８ａ  軸方向両端部
９  第１窪み部
１０  第１窪み部
１１  第１窪み部
１２  第１窪み部
１３  第２窪み部
１４  盲貫孔
【図１】
0003164701.tif 000003
【図２】
0003164701.tif 000004
【図３】
0003164701.tif 000005